(57)【特許請求の範囲】
【請求項１】
内鍋を収容する中空の器体内における内壁回りに内鍋を電磁誘導にて発熱させるワークコイルを有するとともに、電源接続部をなす基板と、この基板から延びる電源リード線と繋がった電源コードを巻き取るコードリールとが、器体内のほぼ反対側に離れて位置している電磁誘導炊飯器において、
温度ヒューズが電源リード線とは別のリード線によって基板に接続され、電源リード線の途中を、ワークコイルと器体外回りとに対しノイズの影響が少ない位置に、保持具で保持したことを特徴とする電磁誘導炊飯器。
【請求項２】
内鍋を収容する中空の器体内における内壁回りに内鍋を電磁誘導にて発熱させるワークコイルを有するとともに、電源接続部をなす基板と、この基板から延びる電源リード線と繋がった電源コードを巻き取るコードリールとが、器体内のほぼ反対側に離れて位置している電磁誘導炊飯器において、
温度ヒューズが電源リード線とは別のリード線によって基板に接続され、電源リード線の途中を、ワークコイルと器体外回りとに対しノイズの影響が少ない位置に、保持具で保持し、電源リード線が基板とコードリールとの間の部分でワークコイルと器体の外壁との間を通っていることを特徴とする電磁誘導炊飯器。
【請求項３】
内鍋を収容する中空の器体内における内壁回りに内鍋を電磁誘導にて発熱させるワークコイルを有するとともに、電源接続部をなす基板と、この基板から延びる電源リード線と繋がった電源コードを巻き取るコードリールとが、器体内のほぼ反対側に離れて位置している電磁誘導炊飯器において、
温度ヒューズが電源リード線とは別のリード線によって基板に接続され、電源リード線の途中がワークコイルと器体の外壁との間に位置し、ワークコイルと外壁との間が最も狭いところではワークコイルと外壁とのほぼ中間位置に位置するように、保持具で保持したことを特徴とする電磁誘導炊飯器。
【請求項４】
内鍋を収容する中空の器体内における内壁回りに内鍋を電磁誘導にて発熱させるワークコイルを有するとともに、電源接続部をなす基板と、この基板から延びる電源リード線と繋がった電源コードを巻き取るコードリールとが、器体内のほぼ反対側に離れて位置している電磁誘導炊飯器において、
温度ヒューズが電源リード線とは別のリード線によって基板に接続され、電源リード線が基板とコードリールとの間の部分でワークコイルと器体の外壁との間を通っており、ワークコイルと外壁との間が最も狭いところではワークコイルと外壁とのほぼ中間位置に位置するように、保持具で保持したことを特徴とする電磁誘導炊飯器。
【請求項５】
内鍋を収容する中空の器体内における内壁回りに内鍋を電磁誘導にて発熱させるワークコイルを有するとともに、電源接続部をなす基板と、この基板から延びる電源リード線と繋がった電源コードを巻き取るコードリールとが、器体内のほぼ反対側に離れて位置している電磁誘導炊飯器において、
温度ヒューズが電源リード線とは別のリード線によって基板に接続され、電源リード線の途中が、ワークコイルと器体の外壁との間に位置し、器体内底部まわりの器体の定置面から離れた側に位置するように、保持具で保持したことを特徴とする電磁誘導炊飯器。
【請求項６】
内鍋を収容する中空の器体内における内壁回りに内鍋を電磁誘導にて発熱させるワークコイルを有するとともに、電源接続部をなす基板と、この基板から延びる電源リード線と繋がった電源コードを巻き取るコードリールとが、器体内のほぼ反対側に離れて位置している電磁誘導炊飯器において、
温度ヒューズが電源リード線とは別のリード線によって基板に接続され、電源リード線が基板とコードリールとの間の部分でワークコイルと器体の外壁との間を通っており、器体内底部まわりの器体の定置面から離れた側に位置するように、保持具で保持したことを特徴とする電磁誘導炊飯器。
【発明の詳細な説明】
【０００１】
【発明の属する技術分野】
本発明は電磁誘導炊飯器に関し、詳しくは、内鍋と、この内鍋を着脱できるように収容する中空の器体と、この器体の内壁まわりに内鍋を電磁誘導で発熱させるワークコイルとを持った電磁誘導炊飯器に関するものである。
【０００２】
【従来の技術】
近時の電磁誘導炊飯器は図７、図８に示すように、中空な器体ａに内鍋ｂを収容し、器体ａの内壁ｃまわりの一方側に制御基板ｄ、マイコン基板ｅ、および発熱素子の冷却部ｆが集約配置され、反対の側に電源コードｊを巻き取るコードリールｇを配置し、余分な空間を無くしたコンパクト設計が行われている。これによって器体ａは蓋ｋで閉じられた状態では全体が丸みを帯びたコンパクトな矩形体形状をなしている。制御基板ｄは電源接続部をなし制御基板ｄから延びる電源リード線ｈはコードリールｇに巻き取られる電源コードｊの基部と接続されている。これにより電源コードｊのプラグｍがコンセントに接続されると電磁誘導炊飯器に制御基板ｄを通じて電源が投入される。
【０００３】
電源リード線ｈは器体ａの内壁ｃと外壁ｎとの間の底部外回りにできる空間ｐを利用して配線されることが多い。このとき図７に示すように電源リード線ｈの途中に温度ヒューズｑが設けられると、温度ヒューズｑが異常温度を感知しやすい図７、図８に示すワークコイルｒおよび内壁ｃに近い位置を経由することが余儀なくされる。また、途中に温度ヒューズｑを設けない場合の電源リード線ｈは前記空間ｐを利用して適当に引き回されるだけで引き回し位置を特定していない。
【０００４】
【発明が解決しようとする課題】
ところで、上記従来の電磁誘導炊飯器では、炊飯モードや保温モードの設定やそれに基づく動作などに異常があったり、制御基板ｅに搭載されたマイクロコンピュータが暴走したりするトラブルがたまに発生する。また、電磁誘導炊飯器を用いている周辺ではテレビの画面がちらついたり、電子機器の機能を損なう事態も発生している。
【０００５】
図６に示すＡは図７、図８に示す従来の電磁炊飯器から周辺に向け発生している周波数５００〜１５００Ｈｚ範囲のノイズを示し、そのレベルは最高６０ｄＢμＶ近くに達している。
【０００６】
これらにつき、本発明者等が種々に実験をし検討を重ねたところ、電源リード線ｈがワークコイルｒや設置面側からノイズを受けることが機能に影響したり、電源リード線ｈから周辺機器にノイズを及ぼしていることが判明した。ワークコイルｒや設置面からのノイズはそれらに電源リード線ｈが近すぎることにより受け、周辺機器へは器体ａの外壁ｎに電源リード線ｈが近すぎることによってノイズを及ぼす。定置面からのノイズは定置面が他の周辺機器である場合は勿論あるし、単なるワークトップであっても広い定置面が回りからのノイズを拾って炊飯器側に反射させることが原因と思われる。
【０００７】
本発明の目的は、このような新たな知見に基づき、ノイズを受けにくくまた与えにくいように電源リード線を配置した電磁誘導炊飯器を提供することにある。
【０００８】
【課題を解決するための手段】
本発明の電磁誘導炊飯器は、内鍋を収容する中空の器体内における内壁回りに内鍋を電磁誘導にて発熱させるワークコイルを有するとともに、電源接続部をなす基板と、この基板から延びる電源リード線と繋がった電源コードを巻き取るコードリールとが、器体内のほぼ反対側に離れて位置していることを基本構成としており、必要に応じ既述したような近時のコンパクト設計に対応できる。
【０００９】
特に、上記の目的を達成するために、温度ヒューズが電源リード線とは別のリード線によって前記基板に接続され、電源リード線の途中を、ワークコイルと器体外回りとに対しノイズの影響が少ない位置に、保持具で保持したことを第１の特徴としている。
【００１０】
このような構成では、特に、温度ヒューズと電源リード線とは別のリード線によって電源接続部をなす基板に接続されて、設置位置を拘束し合わず、互いに最適位置に設置することができ、電源リード線は中空の器体内において、ワークコイルおよび外回りの双方に対しノイズの影響が少ない位置に配置されて、ワークコイルや外回りからのノイズを受け難く、ノイズによって機能が損なわれるようなことを防止できるし、周辺機器にノイズを与え難くなり周辺機器の機能を損なうことも防止することができる。また、電源リード線はそのような位置を採るように保持具で保持されるので、電源リード線の自重や器体を持ち運んだり各種に取り扱ったときの外力、自身の慣性などによっても位置が変化してしまうようなことがなく、前記ノイズ防止機能が損なわれない。
ここで、電源リード線は制御基板とコードリールとの間の部分でワークコイルと器体の外壁との間を通っているようにすることができる。
【００１１】
また、別に、電源リード線の途中がワークコイルと器体の外壁との間に位置し、ワークコイルと外壁との間が最も狭いところではワークコイルと外壁とのほぼ中間位置に位置するように、保持具で保持したことを第２の特徴としている。
【００１２】
このような構成では、ワークコイルと器体の外壁との間が最も狭いところでもワークコイルからのノイズを受け難く、周辺機器へノイズを及ぼしにくいものとなり、ノイズ防止機能を保証することができる。
【００１４】
また、別に、電源リード線の途中が、ワークコイルと器体の外壁との間に位置し、器体内底部まわりの器体の定置面から離れた側に位置するように、保持具で保持したことを第３の特徴としている。
【００１５】
このような構成では、電源リード線はワークコイルからのノイズをうけにくく、周辺機器にノイズを及ぼし難くするのと同時に、定置面側からのノイズをも受け難くすることができる。
【００１９】
【実施例】
以下、本発明の幾つかの実施例について、図１〜図５を参照しながら詳細に説明し本発明の理解に供する。
【００２０】
本実施例の電磁誘導炊飯器は、図５に示すような基本構成を有し、炊飯後に保温をも行ういわゆる電磁誘導炊飯ジャーの場合を示している。図５にその全体構成を示してあるように、内鍋１と、この内鍋１を着脱できるように収容する中空の器体２と、器体２の内鍋収容部をなす内壁３の外回りに設けられ内鍋１の底部の中央部および外周部に対向する底部内側ワークコイル４および底部外側ワークコイル５と、内鍋１の胴部に対向する胴部ヒータ６５とを備え、底部内側ワークコイル４、底部外側ワークコイル５、および胴部ヒータ６５を炊飯工程、炊飯量、および炊飯と保温の違いに応じて種々の駆動状態を制御し、かつ、操作スイッチを有するマイコン基板６が、器体２の前部に設けられた操作パネル６７の内側に設けられている。また、電源基板１１には胴部ヒータ６５および肩ヒータ４１の駆動回路が、制御基板６６にはＩＧＢＴ６９などの発熱素子があり、これらを搭載して冷却するヒートシンク７１またはおよび送風冷却するファン７２が設けられ、冷却部７３を構成している。
【００２１】
ここに、制御基板６６は電源接続部をなしている。これによって、制御基板６６からは図１に示す例や図３に示す例のように電源リード線７４が延びている。電源リード線７４はコードリール７５に巻き取られる電源コード７６の基部に接続され、電源コード７６の先端のプラグ７７が家庭などの図示しない給電コンセントに接続されると、制御基板６６は給電を受け、操作パネル６７での設定操作に応じた炊飯や保温の動作が行われるようにする。
【００２２】
ここで、マイコン基板６、電源基板１１、マイコン基板６６、および冷却部７３は器体２内の前部、つまり操作パネル６７がある側に集約配置し、コードリール７５は反対の後部側に配置し、器体２内に余分な空間ができるだけ生じないコンパクト設計となっており、蓋７８を閉じた状態で全体が丸みのある矩形体をなすようにしている。
【００２３】
図５に戻って、蓋７８は器体２の後部にヒンジピン７９により開閉できるように連結され、ばね８１の付勢により開き方向に付勢してある。ばね８１の付勢による開き動作を制動する制動機構が必要に応じて設けられるし、蓋７８が勝手に開かないように閉じ位置にロックするようばね８３にて付勢したロック爪８２が設けられ、ロック爪８２をばね８３に抗して矢印の方向に回動させることにより蓋７８がばね８１の付勢によって自動的に開かれる。
【００２４】
器体２の肩部には保温時に用いる肩ヒータ４１が設けられ、前記電源基板１１はこれをも駆動する。肩ヒータ４１には蓋７８の内側に設けた金属製の内蓋８４が当接して肩ヒータ４１の熱を内鍋１の開口部全域に行き渡らせ、炊き上がったご飯を上部からむら無く加熱するようにしている。蓋７８の中央部には蒸気を適度に外部に逃がしながら炊飯時の内鍋１内を調圧する調圧弁８５が設けられ美味しいご飯が炊けるようにしている。内壁３の胴部外回りには断熱材８６が設けられ、加熱効率を高めるとともに保温性能の向上を図っている。
【００２５】
内壁３の底部まわりには、合成樹脂製の放射状をしたコイル台８７が配置され、ワークコイル４、５を下方から保持するようにしている。コイル台８７の各放射状部８７ａに形成した下向きの凹部内にはフェライトコア８８が設けられてワークコイル４、５の働きを助けている。コイル台８７の中央部には内壁３を貫通して内鍋１の底部に当接し内鍋１の温度を検出する温度センサ８９が設けられている。
【００２６】
以上から器体２の内壁３と外壁９１との間にはほとんど無駄な空間ができていない。前記電源リード線７４は器体２の前後に離れている制御基板６６およびコードリール７５間で引き回す必要があるが、それには、内外壁３、９１間における邪魔物のない底部内の外周部の空間９２を利用するのが好適である。しかし、これに限られることはない。
【００２７】
既述したように、電源リード線７４はワークコイル４、５からノイズを受けて炊飯や保温などの機能が損なわれたり、内外壁３、９１が合成樹脂よりなり透磁性を有し電磁波や磁力を遮断できないので、電源リード線７４は器体２の外回りに位置する周辺機器にノイズを及ぼして機能を損なったりする。また、電源リード線７４は器体２の載置面からのノイズも受ける。
【００２８】
これらに対応するため、図１、図２に示す実施例、図３、図４に示す実施例ではそれぞれ、電源リード線７４の途中を、ワークコイル４、５と器体２の外回りとに対しノイズの影響が少ない位置に、保持具１０１で保持する。これにより、電源リード線７４は中空の器体２内において、ワークコイル４、５および器体２の外回りの双方に対しノイズの影響が少ない位置に配置されて、ワークコイル４、５や器体２の外回りからのノイズを受け難く、ノイズによって機能が損なわれるようなことを防止できる。同時に、テレビなどの周辺機器にノイズを与え難くなり周辺機器の機能を損なうことも防止することができる。また、電源リード線７４はそのような位置を採るように保持具１０１で保持されるので、電源リード線７４の自重や器体２を持ち運んだり各種に取り扱ったときの外力、自身の慣性などによっても位置が変化してしまうようなことはなく、前記ノイズ防止機能が損なわれない。
【００２９】
具体的には、図１、図２に示す例では電源リード線７４の途中がワークコイル４、５と器体２の外壁９１との間に位置し、ワークコイル４、５と外壁９１との間が最も狭いところ９２ａではワークコイル４、５と外壁９１とのほぼ中間位置に位置するように、保持具１０１で保持している。これにより、ワークコイル４、５と器体２の外壁９１との間が最も狭いところ９２ａでもワークコイル４、５からのノイズを受け難く、周辺機器へノイズを及ぼしにくいものとなり、ノイズ防止機能を十分に保証することができる。
【００３０】
この場合、前記最も狭いところ以外の範囲、つまり図３、図４に示すように広いところ９２ｂでは電源リード線７４は外壁９１寄りに位置するようにする。これにより、器体２の内外壁間３、９１の広さを利用して周辺機器へのノイズ防止を図りながら、ワークコイル４、５との距離を十分に離してワークコイル４、５からのノイズを受けて機能が損なわれるようなことを確実に防止することができる。
【００３１】
図３、図４に示す例では、さらに、電源リード線７４の途中が、ワークコイル４、５と器体２の外壁９１との間に位置し、器体２の底部内の外周部の空間９２における器体２の定置面１０２から離れた側に位置するように、保持具１０１で保持している。これにより、電源リード線７４はワークコイル４、５からのノイズをうけにくく、周辺機器にノイズを及ぼし難くするのと同時に、定置面１０２側からのノイズをも受け難くすることができる。しかも、電源リード線７４は、ワークコイル４、５との距離Ｌ１と器体２の定置面１０２までの距離Ｌ２とがほぼ同じに設定されている。これにより、ワークコイル４、５および定置面１０２の双方からのノイズの影響を十分に防止することができる。
【００３２】
図１、図２の例、および図３、図４の例では、いずれも、保持具１０１が温度ヒューズ１０３の保持具１０１を共用している。温度ヒューズ１０３は過熱時に溶断して給電を緊急停止する安全手段であって必須であり、取り付け個所も発熱源近くと限られるし、位置の変動は禁物である。従って、温度ヒューズ１０３の保持具１０１も必須である。このような必須となっている保持具１０１を共用して電源リード線７４を所定の位置に保持すれば、温度ヒューズ１０３の保持具１０１とは別に保持具を設けたり取り付けたりしなくてよく、保持具やその取り付け作業が増大するようなことなく電源リード線７４の保持構造が実現する。
【００３３】
しかし、電源リード線７４は温度ヒューズ１０３から離して独立に保持する。これにより、温度ヒューズ１０３と設置位置を拘束し合わず、互いに最適位置に設置することができる。電源リード線７４および温度ヒューズ１０３の独立した保持のために、温度ヒューズ１０３は電源リード線７４とは別のリード線１０４によって制御基板６６などに接続されている。
【００３４】
保持具１０１は図１、図２に示す例、および図３、図４に示すいずれの場合も同じ合成樹脂製のものを採用しており、コイル台８７の下にねじ１０５にてねじ止めされた下板１０６に下方から当てがってねじ１０７によりねじ止めしてあり、ワークコイル４、５の間の直ぐ下に位置する下向きの凹部１０１ａに温度ヒューズ１０３を受け入れてコイル台８７の最下基台１０８が前記ねじ１０５を共用してねじ止めされるときに温度ヒューズ１０３を凹部１０１ａ内に押圧保持するようにしている。保持具１０１の凹部１０１ａから器体２の外方側に延びた部分にＬ型に切り起こした形に一体形成された内向きに開放したフック部１０１ｂと、このフック部１０１ｂの開放端１０１ｂ１の両側に一体成形して突設された抜け止め突起１０１ｂ２とを有している。そこで、電源リード線７４が左右の２つの突起１０１ｂ２を乗り越えるとともに、フック部１０１ｂの下側にその開放端１０１ｂ１部から潜らされることによって図２、図４に実線で示すように抜け止め状態に保持される。
【００３５】
電源リード線７４の引き回し位置を器体２内の外壁９１の内側空間に全域を対象とする場合、その定置面１０２からの全高Ｈ一杯の位置に設定してもよいし、器体２の中心から外壁９１の最大内径Ｒ内のどの位置でもよい。しかし、図３、図４に示す例では器体２底部内の外周部の空間９２を利用しており、電源リード線７４は前記全高Ｈ＝１４０ｍｍに対してＬ２＝２９ｍｍとしてあり、最大内径Ｒ＝１２０ｍｍに対して設置位置半径Ｒ１＝１０９ｍｍとしてある。これによって、電源リード線７４はフェライトコア８８の設置域よりも器体２の外側に位置し、フェライトコア８８からノイズを受けるのを防止することができる。また、温度ヒューズ１０３はフェライトコア８８の設置域内に位置して、発熱部の過熱に応答しやすくなっている。図３、図４の場合の外回りへのノイズを計測すると、図６に示すＢの通りであり、従来のＡに比し低減している。
【００３６】
電源リード線７４は途中の一箇所を保持具１０１によって保持されているだけでも、両端が制御基板６６およびコードリール７５との接続によって位置保持されていることとで、制御基板６６およびコードリール７５の間の引き回し位置をその全長においてほぼ安定させることができ、ワークコイル４、５側の部材および外壁９１側のいずれにも接触しない状態に保持し、かつ後に設置位置が大きく変動するようなことを防止することができる。しかし、器体２の大きさや電源リード線７４の曲げ剛性などによって、位置に過剰な変動が生じるような場合は電源リード線７４の途中の複数箇所を保持具１０１で保持するようにもできる。これは保持具１０１に複数の位置保持部を設けて行ってもよいし、複数の保持具１０１を設けて行ってもよい。この場合、他の既設部材を利用して保持具１０１を増設してもよいし、単独の保持具１０１を設けてもよいのは勿論である。制御基板６６附近やコードリール７５附近ではそれら、あるいはそれらに施すカバーや取り付け部を利用して電源リード線７４の引き回し位置を規制し、あるいは保持することができる。
【００３７】
【発明の効果】
本発明によれば、温度ヒューズと電源リード線とは別のリード線によって電源接続部をなす基板に接続されて、設置位置を拘束し合わず、互いに最適位置に設置することができ、電源リード線は中空の器体内において、ワークコイルおよび外回りの双方に対しノイズの影響が少ない位置に配置されて、ワークコイルや外回りからのノイズを受け難く、ノイズによって機能が損なわれるようなことを防止できるし、周辺機器にノイズを与え難くなり周辺機器の機能を損なうことも防止することができる。また、電源リード線はそのような位置を採るように保持具で保持されるので、電源リード線の自重や器体を持ち運んだり各種に取り扱ったときの外力、自身の慣性などによっても位置が変化してしまうようなことがなく、前記ノイズ防止機能が損なわれない。なお、電源リード線は基板とコードリールとの間の部分でワークコイルと器体の外壁との間を通っているようにすることができる。
【００３８】
また、電源リード線の途中がワークコイルと器体の外壁との間に位置し、ワークコイルと外壁との間が最も狭いところではワークコイルと外壁とのほぼ中間位置に位置するように、保持具で保持したことにより、ワークコイルと器体の外壁との間が最も狭いところでもワークコイルからのノイズを受け難く、周辺機器へノイズを及ぼしにくいものとなり、ノイズ防止機能を保証することができる。
【００４０】
また、電源リード線の途中が、ワークコイルと器体の外壁との間に位置し、器体内底部まわりの器体の定置面から離れた側に位置するように、保持具で保持したことにより、電源リード線はワークコイルからのノイズをうけにくく、周辺機器にノイズを及ぼし難くするのと同時に、定置面側からのノイズをも受け難くすることができる。
【図面の簡単な説明】
【図１】本発明の１つの実施例を示す電磁誘導炊飯ジャーの横断面図である。
【図２】図１の炊飯ジャーの電源リード線保持状態を示す下面図である。
【図３】本発明の別の実施例を示す炊飯ジャーの断面図である。
【図４】図３の炊飯ジャーの電源リード線保持状態を示す断面図である。
【図５】図１、図３の炊飯ジャーに共通した長手方向で見た縦断面図である。
【図６】図３の炊飯ジャーと図７、図８の炊飯ジャーとの外部へのノイズの違いを示すグラフである。
【図７】従来の電磁誘導炊飯ジャーを示す横断面図である。
【図８】図７の炊飯ジャーの従断面図である。
【符号の説明】
１  内鍋
２  器体
３  内壁
４  底部内側ワークコイル
５  底部外側ワークコイル
６  マイコン基板
１１  電源基板
６６  制御基板
７４  電源リード線
７５  コードリール
７６  電源コード
９１  外壁
９２  底部内の外周部の空間
９２ａ  最も狭いところ
９２ｂ  最も狭いところ以外
１０１  保持具
１０１ａ  凹部
１０１ｂ  フック部
１０１ｂ２  突起
１０２  定置面
１０３  温度ヒューズ
１０４  リード線
【図１】
0003601475.tif 000002
【図２】
0003601475.tif 000003
【図３】
0003601475.tif 000004
【図４】
0003601475.tif 000005
【図５】
0003601475.tif 000006
【図６】
0003601475.tif 000007
【図７】
0003601475.tif 000008
【図８】
0003601475.tif 000009